【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
１つの面に色素層と第２の面に滑性層とを有する支持体を含む感熱色素転写のための色素供与体要素であって、
前記滑性層がポリオレフィンおよびエチレン性不飽和カルボン酸またはそのエステルもしくは無水物から誘導されたポリマーを含む第１のワックスおよび少なくとも１つの他のワックスを含み、前記色素層が、少なくとも次の構造式Ｉのマゼンタ色素を含み、
前記色素供与体要素が、減少した２Ｘ再転写を有することを特徴とする色素供与体要素。
【化１】
2009534220.tif 000001
（上記式中、Ｘは、ＮＲ３Ｒ４基またはヒドロキシル基であり、Ｒ３およびＲ４は同じものまたは異なるものであってよく、独立に、アルキル基、アルケニル基、アリール基、アラルキル基、またはシクロアルキル基から選択され；Ｙ１およびＹ２は、それぞれ独立に、Ｙ１およびＹ２の１つが窒素原子であることを条件として、炭素原子または窒素原子から選択され；Ｚは、別の環と縮合していてもよい５員または６員の窒素含有複素環を形成するために必要な原子団であり；Ｒ１およびＲ２は、それぞれ独立に、水素原子、ハロゲン原子、アルキル基、アルケニル基、アルコキシ基、アルキルアミノ基、アセトアミド基、スルホンアミド基、アリール基、アラルキル基、またはシクロアルキル基から選択される。）
【請求項２】
請求項１に記載の色素供与体要素であって、前記色素供与体要素が、少なくとも１つのビスピラゾロンメチン色素および少なくとも１つのその他のピラゾロンメチン色素を含むイエローの色素供与体パッチならびに少なくとも１つのインドアニリンシアン色素を含むシアン色素供与体パッチをさらに含むことを特徴とする色素供与体要素。
【請求項３】
１つの面に色素層と第２の面に滑性層とを有する支持体を含む感熱色素転写のための色素供与体要素であって、滑性層がポリオレフィンおよびエチレン性不飽和カルボン酸またはそのエステルもしくは無水物から誘導されたポリマーを含む第１のワックスおよび少なくとも１つのその他のワックスを含み、
前記色素層が、少なくとも次の構造式Ｘのイエロー色素：
【化２】
2009534220.tif 000002
（上記式中、Ｒ１およびＲ２は、それぞれ独立に選択することができ、置換されていてもよい低級アルキル基、置換されていてもよい低級アルケニル基または置換されていてもよいアリール基であり；
Ｒ３およびＲ４は、それぞれ独立に選択することができ、置換されていてもよい低級アルキル基、ジアルキルアミノ基、−ＣＯＯＲ５基または−ＣＯＮＲ６Ｒ７基であって、ここでＲ５は、置換されていてもよい低級アルキル基、置換されていてもよい低級アルケニル基または置換されていてもよいアリール基であり、Ｒ６およびＲ７は、それぞれ独立に選択することができ、水素原子、置換されていてもよい低級アルキル基、置換されていてもよい低級アルケニル基または置換されていてもよいアリール基である。）
または、少なくとも次の構造式ＸＩのイエロー色素：
【化３】
2009534220.tif 000003
（上記式中、Ｒ１は、１〜１０個の炭素原子を有する置換または非置換アルキル基、５〜７個の炭素原子を有するシクロアルキル基または６〜１０個の炭素原子を有するアリール基を表し；
Ｒ２は、１〜１０個の炭素原子を有する置換または非置換アルコキシ基、６〜１０個の炭素原子を有する置換または非置換アリールオキシ基、ＮＨＲ６、ＮＲ６Ｒ７またはベンゼン環に縮合している６員環を完成するのに必要な原子を表し；
Ｒ３およびＲ４は、それぞれＲ１を表すか、Ｒ３およびＲ４は、それらが結合している窒素と一緒になって５員または６員の複素環を形成することができ；
Ｒ５は、水素、ハロゲン、カルバモイル、アルコキシカルボニル、アシル、１〜１０個の炭素原子を有する置換または非置換アルキルまたはアルコキシ基、５〜７個の炭素原子を有するシクロアルキル基、６〜１０個の炭素原子を有するアリール基、あるいはジアルキルアミノ基を表し；
Ｒ６およびＲ７は、それぞれ独立に、１〜１０個の炭素原子を有する置換または非置換アルキル基、５〜７個の炭素原子を有するシクロアルキル基または６〜１０個の炭素原子を有するアリール基を表し、Ｒ６およびＲ７は、それらが結合している窒素と一緒になって５員または６員の複素環を形成することができ；
Ｚは、水素または５員または６員の環を完成するために必要な原子を表す。）
または、少なくとも次の構造式ＸＩＩのイエロー色素：
【化４】
2009534220.tif 000004
（上記式中、
Ｒは、１〜６個の炭素原子を有する置換または非置換アルキル基または６〜１０個の炭素原子を有する置換または非置換アリール基を表し；
Ｒ１およびＲ２は、それぞれ独立に、Ｒ１およびＲ２の１つだけがそのとき水素であることを条件としての水素、１〜６個の炭素原子の置換または非置換アルキル基または６〜１０個の炭素原子の置換または非置換アリール基を表し、あるいはＲ１およびＲ２は、それらが結合している窒素と一緒になって複素環系を形成していてもよく；
Ｒ３は、Ｒであり；
ｎは、０または１を表し；
Ｚは、５員または６員の置換または非置換複素環を完成するために必要な原子を表す。）
または、少なくとも次の構造式ＸＩＩＩのイエロー色素：
【化５】
2009534220.tif 000005
（上記式中、
Ｒ１は、１〜８個の炭素原子を有するアルキル基またはシクロアルキル基であり；
Ｒ２は、水素原子、ハロゲン原子、置換されていてもよいアルコキシ基、置換されていてもよいアルキルチオ基または置換されていてもよいアリールチオ基であり；
Ｒ３は、３〜５個の炭素原子を有する分枝アルキル基、Ｏ−置換オキシカルボニル基、Ｎ−置換基が環を形成していてもよいＮ−置換アミノカルボニル基、または窒素原子、酸素原子および硫黄原子からなる群から選択される１種類以上の２個以上のヘテロ原子を有する置換または非置換複素環である。）
を含み、前記色素供与体要素が、減少した２Ｘ再転写を有することを特徴とする色素供与体要素。
【請求項４】
請求項３に記載の要素であって、少なくとも１つのピラゾロン−トリアゾール色素および少なくとも１つのα−シアノアリーリデンピラゾロン色素を含むマゼンタ色素供与体パッチならびに少なくとも１つのインドアニリンシアン色素を含むシアン色素供与体パッチをさらに含むことを特徴とする要素。
【請求項５】
１つの面に色素層と第２の面に滑性層とを有する支持体を含む感熱色素転写のための色素供与体要素であって、滑性層がポリオレフィンおよびエチレン性不飽和カルボン酸またはそのエステルもしくは無水物から誘導されたポリマーを含む第１のワックスならびに少なくとも１つのその他のワックスを含み、前記色素層が、少なくとも次の構造ＸＸのシアン色素を含み、色素供与体要素が、減少した２Ｘ再転写を有することを特徴とする色素供与体要素。
【化６】
2009534220.tif 000006
（上記式中、
Ｒ１およびＲ２は、それぞれ独立に、水素、１〜６個の炭素原子を有するアルキル基、５〜７個の炭素原子を有するシクロアルキル基、アリル基、または１つ以上の基により置換されている前記アルキル基、シクロアルキル基またはアリル基を表し；
各Ｒ３は、独立に、水素、Ｒ１およびＲ２について上記の通りの置換または非置換アルキル、シクロアルキルもしくはアリル、アルコキシ、アリールオキシ、ハロゲン、チオシアノ、アシルアミド、ウレイド、アルキルスルホンアミド、アリールスルホンアミド、アルキルチオ、アリールチオまたはトリフルオロメチルを表し、あるいはＲ３の任意の２つは、一緒になって５員または６員の環状炭素または複素環を形成していてもよく、あるいはＲ３の１つまたは２つがＲ１およびＲ２のいずれかまたは両方と結合して５〜７員環を完成していてもよく；
ｍは、０〜４の整数であり；
Ｘは、水素、ハロゲンを表すか、Ｙと一緒になって６員の芳香環を完成するために必要な原子を表して、縮合二環式キノンイミンを形成することができ；
Ｊは、ＮＨＣＯＲ４、ＮＨＣＯ２Ｒ４、ＮＨＣＯＮＨＲ４またはＮＨＳＯ２Ｒ４を表し、ＸがＹと結合している場合、Ｊは、ＣＯＮＨＲ４、ＳＯ２ＮＨＲ４、ＣＮ、ＳＯ２Ｒ４またはＳＣＮを表すことを条件として、その場合はしかしながらＲ４は水素ではあり得ず；
Ｒ４はＲ１と同じであるか、６〜１０個の炭素原子を有するアリール基、５〜１０個の原子を有するヘタリール基、またはＲ１およびＲ２に対して上で掲げたような１つ以上の基により置換されている前記アリール基またはヘタリール基を表し；
Ｙは、Ｒ４と同じであるか、アシルアミノであり、あるいはＸと結合していてもよい。）
【請求項６】
請求項５に記載の要素であって、前記色素供与体要素が、少なくとも１つのビスピラゾロンメチン色素および少なくとも１つのその他のピラゾロンメチン色素を含むイエローの色素供与体パッチならびに少なくとも１つのピラゾロン−トリアゾール色素および少なくとも１つのα−シアノアリーリデンピラゾロン色素を含むマゼンタ色素供与体パッチをさらに含むことを特徴とする要素。